(57)【要約】【課題】  室内の空気を清浄化でき、室内に負圧が加わるのを防止できる除湿機及び除湿方法を提供する。【解決手段】  送風機３を作動させて、室内吸入口を通して室内から吸入した空気と吸気管３１を通して室外から吸入した空気とを混合した混合空気を下側空間３５から送風機３内を介して上側第１空間内に流す。そして、吸湿ロータ５の周方向の一部に通過させて吸湿ロータ５に吸湿させて除湿された除湿空気を上側第２空間３９内に流す。次に、除湿空気の一部を室内供給口２９を通して室内に供給する。また、第１の空気流通経路から流れた除湿空気の他の一部を、加熱装置７で加熱してから吸湿ロータ５の周方向の他部に通過させて吸湿ロータの水分を吸湿させる。そして、上側排出用空間４０及び排気管３３を通して室外に排出する。【選択図】  図３
2005230658.tif 000002
【特許請求の範囲】
【請求項１】
吸湿材からなる吸湿ロータと、
室内から吸入した空気を、前記吸湿ロータの周方向の一部に通過させて前記吸湿ロータに吸湿させて除湿を行うように導く第１の空気流通経路と、
前記第１の空気流通経路から流れた除湿空気の一部を前記室内に供給する第２の空気流通経路と、
前記第１の空気流通経路から流れた前記除湿空気の他の一部を前記吸湿ロータの周方向の他部に通過させて、前記吸湿ロータの水分を吸湿してから室外に排出するように導く第３の空気流通経路と、
前記第３の空気流通経路内において前記吸湿ロータに流れる前記除湿空気を加熱する加熱装置と、
室内から吸入した前記空気を前記第１の空気流通経路から、前記第２の空気流通経路及び前記第３の空気流通経路にそれぞれ流す送風機と、
前記吸湿ロータ、前記加熱装置及び前記送風機を収納するケースとを具備する除湿機において、
前記第１の空気流通経路は、前記室内から吸入した空気に加えて室外から吸入した空気も前記吸湿ロータに導いていることを特徴とする除湿機。
【請求項２】
前記ケースは下側空間と上側第１空間と上側第２空間との３つの空間を内部に有しており、
前記送風機が送入口が前記下側空間内に開口し送出口が前記上側第１空間内に開口するように前記下側空間内に収納され、
前記吸湿ロータの前記周方向の一部が前記上側第１空間と前記上側第２空間との境界部近傍に位置するように、前記吸湿ロータが前記上側第１空間及び前記上側第２空間の少なくとも一方の空間内に収納され、
前記加熱装置が前記上側第２空間内に収納され、
前記第１の空気流通経路は、前記下側空間と前記送風機と前記上側第１空間と前記吸湿ロータの周方向の一部と前記前記上側第２空間に亘って形成され、
前記第２の空気流通経路は、前記上側第２空間内に形成され、
前記第３の空気流通経路は、前記上側第２空間と前記加熱装置と前記吸湿ロータの周方向の他部とに亘って形成されていることを特徴とする請求項１に記載の除湿機。
【請求項３】
前記室内から吸入する空気の量と前記室内に供給する空気の量とがほぼ等しくなるように設定されている請求項１または２に記載の除湿機。
【請求項４】
前記第１の空気流通経路は、前記室内から吸入した空気と前記室外から吸入した空気とが混合した混合空気がフィルタを通して前記送風機に送られるように構成されている請求項１または２に記載の除湿機。
【請求項５】
前記ケースには、前記室内の空気を前記第１の空気流通経路内に吸入する室内吸入口と、前記除湿空気を第２の空気流通経路内から前記室内に供給する室内供給口とが形成され、
更に前記ケースには、室外の空気を前記第１の空気流通経路内に吸気する吸気管と、前記吸湿ロータの水分を吸湿した空気を第３の空気流通経路内から室外に排出する排気管とが取付けられ、
前記吸気管及び前記排気管は、前記室内と前記室外とを仕切る壁部に形成された貫通孔にそれぞれ挿入可能に形成されている請求項１または２に記載の除湿機。
【請求項６】
前記室内吸入口と前記室内供給口とは、前記室内供給口から前記室内に供給された前記除湿空気が前記室内吸入口に直接的に吸入されない位置にぞれぞれ配置されている請求項５に記載の除湿機。
【請求項７】
前記ケースには、把持用取っ手及び移動用キャスタの少なくとも一つが取り付けられている請求項５に記載の除湿機。
【請求項８】
室内から吸入した空気を吸湿ロータの周方向の一部に通過させて前記吸湿ロータに吸湿させて除湿を行い、
前記除湿した空気の一部を前記室内に供給し、
前記除湿した空気の他の一部を加熱してから前記吸湿ロータの周方向の他部に通過させて、前記吸湿ロータの水分を吸湿してから室外に排出する除湿方法において、
前記室内から吸入した空気に加えて室外の空気も前記吸湿ロータの周方向の一部に通過させることを特徴とする除湿方法。
【発明の詳細な説明】
【技術分野】
【０００１】
本発明は、除湿機及び除湿方法に関するものであり、特に室内の空気を除湿する除湿機及び除湿方法に関するものである。
【背景技術】
【０００２】
特開２００２−１０２６４２号には、室内から吸入した空気を吸湿ロータの周方向の一部に通過させて吸湿ロータに吸湿させて除湿を行い、このように除湿した空気の一部を室内に供給し、除湿した空気の他の一部を加熱してから吸湿ロータの周方向の他部に通過させて、吸湿ロータの水分を吸湿してから室外に排出する除湿機が示されている。
【特許文献１】特開２００２−１０２６４２号（図１、図３）
【発明の開示】
【発明が解決しようとする課題】
【０００３】
このような従来の除湿機においては、室内の空気を清浄化することも求められている。また、従来の除湿機では、室内を閉め切った場合に、室内の空気の一部が室外に排出されることによって、室内に負圧が加わる場合がある。
【０００４】
本発明の目的は、室内の空気を清浄化できる除湿機及び除湿方法を提供することにある。
【０００５】
本発明の他の目的は、室内に負圧が加わるのを防止できる除湿機及び除湿方法を提供することにある。
【課題を解決するための手段】
【０００６】
本発明が改良の対象とする除湿機は、吸湿材からなる吸湿ロータと、室内から吸入した空気を吸湿ロータの周方向の一部に通過させて吸湿ロータに吸湿させて除湿を行うように導く第１の空気流通経路と、第１の空気流通経路から流れた除湿空気の一部を室内に供給する第２の空気流通経路と、第１の空気流通経路から流れた除湿空気の他の一部を吸湿ロータの周方向の他部に通過させて吸湿ロータの水分を吸湿してから室外に排出するように導く第３の空気流通経路と、第３の空気流通経路内において吸湿ロータに流れる除湿空気を加熱する加熱装置と、室内から吸入した空気を第１の空気流通経路から第２の空気流通経路及び第３の空気流通経路にそれぞれ流す送風機と、吸湿ロータ，加熱装置及び送風機を収納するケースとを具備している。本発明では、第１の空気流通経路は、室内から吸入した空気に加えて室外から吸入した空気も吸湿ロータに導くように構成する。本発明のように、室内から吸入した空気に加えて室外から吸入した空気も吸湿ロータに導くと、室内の空気の一部が第３の空気流通経路を経て室外に排出され、室外から吸入した空気の一部が除湿されてから第２の空気流通経路を経て室内に供給される。そのため、室内の空気を室外の空気と入れ替わって室内の空気の清浄化を図ることができる。また、室外からの空気が室内に供給されるため、室内を閉め切っても、室内に負圧が加わるのを防止できる。
【０００７】
本発明のより具体的な除湿機は、ケースが、下側空間と上側第１空間と上側第２空間との３つの空間を内部に有している。そして、送風機が送入口が下側空間内に開口し送出口が上側第１空間内に開口するように下側空間内に収納されており、吸湿ロータの周方向の一部が上側第１空間と上側第２空間との境界部近傍に位置するように、吸湿ロータが上側第１空間及び上側第２空間の少なくとも一方の空間内に収納されている。また、加熱装置を上側第２空間内に収納し、第１の空気流通経路は、下側空間と送風機と上側第１空間と吸湿ロータの周方向の一部と上側第２空間に亘って形成する。そして、第２の空気流通経路は、上側第２空間内に形成し、第３の空気流通経路は、上側第２空間と加熱装置と吸湿ロータの周方向の他部とに亘って形成する。このように除湿機を構成すれば、除湿機のコンパクト化を図ることができる。
【０００８】
除湿機は、室内から吸入する空気の量と室内に供給する空気の量とがほぼ等しくなるように設定するのが好ましい。このようにすれば、室内に負圧が加わるのを確実に防止できる。
【０００９】
第１の空気流通経路は、室内から吸入した空気と室外から吸入した空気とを混合した混合空気をフィルタを通して送風機に送るように構成するのが好ましい。このようにすれば、送風機内に塵や埃が侵入するのを防げる上、室内の空気の塵や埃を除去することができる。
【００１０】
ケースには、室内の空気を第１の空気流通経路内に吸入する室内吸入口と、除湿空気を第２の空気流通経路内から室内に供給する室内供給口とを形成することができる。更に、ケースには、室外の空気を第１の空気流通経路内に吸気する吸気管と、吸湿ロータの水分を吸湿した空気を第３の空気流通経路内から室外に排出する排気管とを
取り付けることができる。この場合、吸気管及び排気管は、室内と室外とを仕切る壁部に形成された貫通孔にそれぞれ挿入可能に形成するのが好ましい。このようにすれば、必要に応じて吸気管及び排気管を壁部の貫通孔にそれぞれ挿入して、除湿機として用い、必要がないときは、吸気管及び排気管を壁部の貫通孔から外して、物置等にしまって置くことができる。そのため、室内を簡易的な乾燥室とすることもできる。なお、壁の貫通孔は、適宜な蓋材により閉塞すればよい。
【００１１】
室内吸入口と室内供給口とは、室内供給口から室内に供給された除湿空気が室内吸入口に直接的に吸入されない位置にぞれぞれ配置するのが好ましい。このようにすれば、除湿空気を室内全体に行き渡らすことができ、除湿効果を高められる。
【００１２】
ケースには、把持用取っ手及び移動用キャスタの少なくとも一つを取り付けるのが好ましい。このようにすれば、除湿機を容易に移動することができる。
【００１３】
本発明の除湿方法は、室内から吸入した空気を吸湿ロータの周方向の一部に通過させて吸湿ロータに吸湿させて除湿を行い、除湿した空気の一部を室内に供給し、除湿した空気の他の一部を加熱してから吸湿ロータの周方向の他部に通過させて、吸湿ロータの水分を吸湿してから室外に放出する。本発明では、室内から吸入した空気に加えて室外の空気も吸湿ロータの周方向の一部に通過させる。本発明のように、室内から吸入した空気に加えて室外から吸入した空気も吸湿ロータの一部に通過させると、室内の空気の一部が室外に排出され、室外から吸入した空気の一部が除湿されてから室内に供給される。そのため、室内の空気を室外の空気と入れ替わって室内の空気の清浄化を図ることができる。また、室外からの空気が室内に供給されるため、室内を閉め切っても、室内に負圧が加わるのを防止できる。
【発明の効果】
【００１４】
本発明によれば、室内から吸入した空気に加えて室外から吸入した空気も吸湿ロータに導くので、室内の空気の一部が第３の空気流通経路を経て室外に排出され、室外から吸入した空気の一部が除湿されてから第２の空気流通経路を経て室内に供給される。そのため、室内の空気を室外の空気と入れ替わって室内の空気の清浄化を図ることができる。また、室外からの空気が室内に供給されるため、室内を閉め切っても、室内に負圧が加わるのを防止できる。
【発明を実施するための最良の形態】
【００１５】
以下、図面を参照して本発明を実施するための最良の形態について説明する。図１及び図２は、本発明の一実施の形態の除湿機の正面図及び左側面図である。図３は、後述する側壁１９を除いて左側面側から見た除湿機の概略図であり、図４は、側壁１３及び傾斜壁２１を除いて正面側から見た除湿機の概略図であり、図５は上壁９及び傾斜壁２１を除いて上側から見た除湿機の概略図である。各図に示すように、本例の除湿機は、ケース１と、ケース１内に収納される送風機３、吸湿ロータ５及び加熱装置７とを有している。ケース１は、上壁９と、底壁１１と、上壁９と底壁１１との間を延びる４つの側壁１３，１５，１７，１９と、正面側の側壁１３と上壁９とを連結して、両壁部１３，９に傾斜して配置される傾斜壁２１とを有している。上壁９には、把持用取っ手２３が取り付けられており、底壁１１の四隅には、移動用キャスタ２５がそれぞれ取り付けられている。また、側壁１９の下方には、スリット状の複数の室内吸入口２７が形成され、傾斜壁２１には、スリット状の複数の室内供給口２９が形成されている。本例では、室内吸入口２７と室内供給口２９とは、室内供給口２９から室内に供給された後述する除湿空気が室内吸入口２７に直接的に吸入されないように相互に離れて配置されている。また、室内吸入口２７及び室内供給口２９は、室内吸入口２７を介して室内から吸入する空気の量と室内供給口２９を介して室内に供給する空気の量とがほぼ等しくなるように、その寸法及び位置が設定されている。
【００１６】
背面側の側壁１７の下方には、室外から空気を吸入する吸気管３１が取付けられ、側壁１７の上方には、室外に空気を排出する排気管３３とが取付けられている。吸気管３１及び排気管３３は、いずれも円筒形を有しており、室内と室外とを仕切る壁部Ｗに形成された貫通孔Ｗ１，Ｗ２にそれぞれ挿入可能な形状及び寸法に形成されている。本例の除湿機は、吸気管３１及び排気管３３が貫通孔Ｗ１，Ｗ２に嵌合され、移動用キャスタ２５が床上に位置した状態で室内に配置されている。
【００１７】
ケース１内には、図３〜図５に示すように、下側空間３５と上側第１空間３７と上側第２空間３９と上側排出用空間４０とが形成されている。下側空間３５は、ケース１の下半部全体に形成されている。これにより、側壁１９の下方に形成された室内吸入口２７は、室内と下側空間３５とを連通し、側壁１７の下方に形成された吸気管３１は、室外と下側空間３５とを連通することになる。上側第１空間３７は、図５に示すように、ケース１の上半部において、仕切壁部４１，４３と側壁１５，１７とに囲まれた領域に形成されている。上側第２空間３９は、ケース１の上半部において、仕切壁部４１と側壁１３，１５，１９とに囲まれた領域に形成されている。これにより、傾斜壁２１に形成された室内供給口２９は、室内と上側第２空間３９とを連通することになる。上側排出用空間４０は、ケース１の上半部において、仕切壁部４１，４３と側壁１７，１９とに囲まれた領域に形成されている。これにより、側壁１７の上方に形成された排気管３３は、室外と上側排出用空間４０とを連通することになる。仕切壁部４１は、後述する吸湿ロータ５の周方向の一部と対向する部分に貫通孔４１ａが形成されており、吸湿ロータ５の周方向の他部と対向する部分に貫通孔４１ｂが形成されている。
【００１８】
送風機３は、カバー部材４５と、カバー部材４５内に配置された図示しないインペラと、カバー部材４５に固定された送出用筒４７とを有している。カバー部材４５には、送入口４５ａが形成され、送出用筒４７の端部には送出口４７ａが形成されている。インペラは、回転軸にハブを介して固定されている。インペラが回転することにより、送入口４５ａから送出口４７ａに向かう空気の流れが生じる。送風機３は、送入口４５ａが下側空間３５内に開口し送出口４７ａが上側第１空間３７内に開口するように下側空間３５内に収納されている。本例では、送入口４５ａに隣接する位置に送入口４５ａに流れる空気を濾過するフィルタ４８が配置されている。
【００１９】
吸湿ロータ５は、特開平１１−５７３８３号公報等に示される公知の吸湿ロータである。この吸湿ロータ５は、円板または円柱の形状を有しており、ベルト４９を介してモータ５１により回転中心５ａを中心にして回転して、所定の温度より低い温度の通過空気から湿気を吸湿する吸湿機能と所定の温度以上の空気に吸湿した湿気を放出する放湿機能とを有している。吸湿ロータ５は、周方向の一部が、仕切壁部４１の貫通孔４１ａに対向し、周方向の他部が、仕切壁部４１の貫通孔４１ｂに対向して、上側第１空間３７と上側第２空間３９との境界部近傍に位置するように、上側第２空間３９内に収納されている。
【００２０】
加熱装置７は、上側第２空間３９内において、吸湿ロータ５の周方向の他部に隣接して配置されている。加熱装置７は、上側第２空間３９内から吸湿ロータ５の周方向の他部にに流れる空気を加熱する役割を果たしている。送風機３、吸湿ロータ５及び加熱装置７には、時間によりこれらの電源が切れるタイマーや、湿度センサで検出した湿度に応じて自動的にこれらの電源がオンオフされるスイッチ装置を必要に応じて取り付けることができる。
【００２１】
本例では、下側空間３５と送風機３と上側第１空間３７と吸湿ロータ５の周方向の一部と上側第２空間３９とに亘って第１の空気流通経路が形成され、上側第２空間３９内に第２の空気流通経路が形成され、上側第２空間と加熱装置７と吸湿ロータ５の周方向の他部とに亘って第３の空気流通経路が形成されている。そして、送風機３、吸湿ロータ５及び加熱装置７が作動すると、第１の空気流通経路を流れた空気が第２の空気流通経路及び第３の空気流通経路に分岐して流れる。具体的には、送風機３、吸湿ロータ５及び加熱装置７が作動すると、室内吸入口２７を通して室内から吸入した空気と吸気管３１を通して室外から吸入した空気とが混合した混合空気が下側空間３５からフィルタ４８を通ってから送風機３内を介して上側第１空間３７内に流れる。そして、吸湿ロータ５の周方向の一部に通過して吸湿ロータ５に吸湿されて除湿された除湿空気が上側第２空間３９内に流れる（第１の空気流通経路）。次に、第１の空気流通経路から流れた除湿空気の一部は、室内供給口２９を通して室内に供給される（第２の空気流通経路）また、第１の空気流通経路から流れた除湿空気の他の一部は、加熱装置７で加熱されてから吸湿ロータ５の周方向の他部に通過して吸湿ロータの水分を吸湿する。そして、上側排出用空間４０及び排気管３３を通して室外に排出される（第３の空気流通経路）。本例の除湿機では、室内吸入口２７を通して室内から吸入した空気に加えて、吸気管３１を通して室外から吸入した空気も吸湿ロータ５に導かれるため、室内の空気の一部が第３の空気流通経路を経て室外に排出され、室外から吸入した空気の一部が除湿されてから第２の空気流通経路を経て室内に供給される。そのため、室内の空気を室外の空気と入れ替えて室内の空気の清浄化を図ることができる。また、室外からの空気が室内に供給されるため、室内を閉め切っても、室内に負圧が加わるのを防止できる。
【図面の簡単な説明】
【００２２】
【図１】本発明の一実施の形態の除湿機の正面図である。
【図２】図１に示す除湿機の左側面図である。
【図３】側壁を除いて左側面側から見た図１に示す除湿機の概略図である。
【図４】側壁及び傾斜壁を除いて正面側から見た図１に示す除湿機の概略図である。
【図５】上壁及び傾斜壁を除いて上側から見た図１に示す除湿機の概略図である。
【符号の説明】
【００２３】
１  ケース
３  送風機
５  吸湿ロータ
７  加熱装置
２３  把持用取っ手
２５  移動用キャスタ
３１  吸気管
３３  排気管
３５  下側空間
３７  上側第１空間
３９  上側第２空間
４８  フィルタ
【図１】
2005230658.tif 000003
【図２】
2005230658.tif 000004
【図３】
2005230658.tif 000005
【図４】
2005230658.tif 000006
【図５】
2005230658.tif 000007